(57)【要約】【課題】フロントドアと他の部分との干渉が抑制されるスキャナ付きレーザプリンタ装置と、ドア本体と他の部分との干渉が抑制されるドア装置を提供する。【解決手段】スキャナ付きレーザプリンタ装置１の筐体２におけるレーザプリンタ本体３の前面側には、メンテナンスを行なうためのフロントドア５が設けられている。フロントドア５には、筐体の側に向かって突出したドア側ボス部１４と、後方側に延在するドア側ガイド溝１３が形成され、筐体２には、ドア側ボス部１４を受入れる筐体側ガイド溝１１と、フロントドア５側に向かって突出してドア側ガイド溝１３に受入れられる筐体側ボス部１２が形成されている。筐体側ガイド溝１１は、フロントドア５を手前に引き出すための横方向に延在する部分と、フロントドア５を下方にスライドさせるための縦方向に延在する部分を備えている。【選択図】図１
2007221230.tif 000002
【特許請求の範囲】
【請求項１】
所定の筐体と、
前記筐体内の下部に配設されたレーザプリンタ本体と、
前記レーザプリンタ本体の上方の前記筐体内の上部に配設されたスキャナ本体と、
前記筐体における前記レーザプリンタ本体の前面側に開閉自在に取付けられたフロントドアと、
前記フロントドアの上方の前記筐体部分に、前記筐体部分から前記前面の側に突出するように取り付けられて前記レーザプリンタ本体から排紙される用紙を下方から受けるエクステンションと
を有し、
前記フロントドアは、
前記エクステンション側に位置する前記フロントドアの上部に形成され、前記筐体の側方部分に向かって突出して回動軸となるドア側ボス部と、
前記フロントドアの裏面側に形成され、前記フロントドアの開閉動作をガイドするドア側ガイド溝と
を備え、
前記筐体は、
前記側方部分に形成され、前記ドア側ボス部を受入れて前記フロントドアの回動軸の位置を移動させるための筐体側ガイド溝と、
前記側方部分に形成され、前記ドア側ガイド溝に向かって突出して前記ドア側ガイド溝に受入れられる筐体側ボス部と
を備え、
前記筐体側ガイド溝は、
前記フロントドアを手前に引き出すための横方向に延在する部分と、
手前に引き出された前記フロントドアを下方に下げるための縦方向に延在する部分と
を備え、
前記ドア側ガイド溝は、前記ドア側ボス部を回動軸として前記フロントドアを開閉する動作とともに、前記フロントドアを手前に引き出す動作および前記フロントドアを下方に下げる動作を行なうことに伴って変化する前記フロントドアと前記筐体側ボス部との相対的な位置関係に基づいて形成された、スキャナ付きレーザプリンタ装置。
【請求項２】
所定の筐体と、
前記筐体に所定の回動軸により開閉自在に取付けられたドア本体を含むドア部と
を備え、
前記ドア部と前記筐体とは、前記ドア本体を開けながら前記ドア本体を手前に引き出す動作に引き続き、前記ドア本体を開けながら前記ドア本体を前記引き出す方向と交差する方向にスライドさせる動作によって前記ドア本体が開かれた状態とされるよう構成された、ドア装置。
【請求項３】
前記ドア部は、
前記ドア本体に形成され、前記筐体の部分に向かって突出する回動軸部と、
前記ドア本体に形成され、前記ドア本体の開閉動作をガイドするドア側ガイド部と
を備え、
前記筐体は、
前記回動軸部を受入れて、前記回動軸部の位置を移動させるため筐体側ガイド部と、
前記ドア側ガイド部に向かって突出して前記ドア側ガイド部に受入れられる突起部と
を備え、
前記筐体側ガイド部は、前記ドア本体を手前に引き出すための第１の方向に延在する部分と、手前に引き出された前記ドア本体を前記引き出す方向と交差する方向にスライドさせるための第２の方向に延在する部分を含み、
前記ドア側ガイド部は、
前記ドア本体を開閉する動作とともに、前記ドア本体を手前に引き出す動作および前記ドア本体を引き出す方向と交差する方向にスライドさせる動作を行なうことに伴って変化する前記ドア本体と前記突起部との相対的な位置関係に基づいて形成された、請求項２記載のドア装置。
【請求項４】
前記第１の方向は水平方向であり、前記第２の方向は垂直方向である、請求項３記載のドア装置。
【請求項５】
前記筐体内には所定の用紙に印刷を行なうレーザプリンタ本体と画像を読み取るスキャナ本体とが配設され、
前記ドア部は前記レーザプリンタ本体の前面側に、前記レーザプリンタ本体の上部側を回動軸として開閉自在に前記筐体に取付けられ、
前記ドア部の上方の前記筐体部分に、前記筐体部分から前方に突出するように取付けられて、前記レーザプリンタ本体から排紙される用紙を下方から受けるエクステンションを備えた、請求項４記載のドア装置。
【請求項６】
前記ドア側ガイド部は、前記突起部を係止して前記ドア本体が開かれた状態を保持する係止部を備えた、請求項３〜５のいずれかに記載のドア装置。
【発明の詳細な説明】
【技術分野】
【０００１】
本発明はスキャナ付きレーザプリンタ装置およびドア装置に関し、特に、フロントドアの開閉動作によってフロントドアと他の部分との干渉が抑制されるスキャナ付きレーザプリンタ装置と、ドア本体の開閉動作によってドア本体と他の部分との干渉が抑制されるドア装置とに関するものである。
【背景技術】
【０００２】
プリンタ装置の一形態にレーザプリンタ装置がある。図１２に示すように、従来、レーザプリンタ装置１３０では、レーザプリンタ本体１０３の下部には用紙をストックする用紙トレイ１０７が配設され、その用紙トレイ１０７から給紙口１０８を介してレーザプリンタ本体１０３に給紙されて印刷が施された用紙を排紙するための排紙口１０９が、レーザプリンタ本体１０３の上面側に設けられている。
【０００３】
そのレーザプリンタ装置１３０では、トナーを交換したり紙詰まりが発生した場合等にメンテナンスを行なうためのフロントカバー１０５が配設されている。フロントカバー１０５は、用紙トレイ１０７がレーザプリンタ本体１０３の下部に配設される関係上、フロントカバー１０５の上部を回動軸として開閉自在に取付けられている。また、フロントカバー１０５は閉じられた状態で、トナーを収容したカートリッジを付勢してカートリッジを所定の位置に保持する機能も有している。
【０００４】
ところで、近年、レーザプリンタ装置としての画像を印刷する機能に加えて、画像を読み取る機能をもたせるために、レーザプリンタ装置とスキャナ装置とを併せたスキャナ付きレーザプリンタ装置が開発されている。図１３に示すように、そのようなスキャナ付きレーザプリンタ装置１０１では、スキャナ本体１０４に原稿を載置して画像を読み取るため、スキャナ本体１０４はレーザプリンタ本体１０３の上に配設されることになる。
【０００５】
このようにスキャナ本体１０４がレーザプリンタ本体１０３の上に配設されるため、スキャナ付きレーザプリンタ装置１０１には、レーザプリンタ装置１０１から排紙される用紙を下方から受けるためにエクステンション１０６が取付けられている。このエクステンション１０６は、特に、スキャナ付きレーザプリンタ装置１０１の小型化が図られると用紙サイズとの関係で不可欠なものになる。従来のスキャナ付きレーザプリンタ装置１０１は、上記のように構成されている。なお、メンテナンスのためのフロントカバーを備えた画像形成装置を開示した文献の一例として、特許文献１がある。
【特許文献１】特開２００５−３２４３７８号公報
【発明の開示】
【発明が解決しようとする課題】
【０００６】
しかしながら、従来のスキャナ付きレーザプリンタ装置１０１では次のような問題点があった。上述したように、スキャナ付きレーザプリンタ装置１０１では、フロントカバー１０５は、用紙トレイ１０７との関係上、フロントカバー１０５の上部が回動軸とされる。しかも、図１３に示すように、フロントカバー１０５はその回動軸１１０において筐体１０２に対して一点で回動可能に支持されている。
【０００７】
そのため、図１４に示すように、フロントカバー１０５を開けようとすると、フロントカバー１０５の上部がエクステンション１０６と干渉してエクステンション１０６が持ち上げられ、その持ち上げられたエクステンション１０６がスキャナ本体１０４と干渉して、フロントカバー１０５を完全に開けることができないという問題があった。また、このような干渉を無くそうとして、フロントカバー１０５における回動軸１１０の位置を変えようとすると、結果的にフロントカバー１０５がカートリッジを付勢する付勢力に影響を与えるという問題があった。
【０００８】
本発明は上記問題点を解決するためになされたものであり、一つの目的は、フロントドアの開閉動作によってフロントドアと他の部分との干渉が抑制されるスキャナ付きレーザプリンタ装置を提供することであり、他の目的は、ドア本体の開閉動作によってドア本体と他の部分との干渉が抑制されるドア装置を提供することである。
【課題を解決するための手段】
【０００９】
本発明に係るスキャナ付きレーザプリンタ装置は、所定の筐体とレーザプリンタ本体とスキャナ本体とエクステンションとを有している。レーザプリンタ本体は所定の筐体内の下部に配設されている。スキャナ本体はレーザプリンタ本体の上方の筐体内の上部に配設されている。フロントドアは筐体におけるレーザプリンタ本体の前面側に開閉自在に取付けられている。エクステンションはフロントドアの上方の筐体部分に、筐体部分から前面の側に突出するように取り付けられてレーザプリンタ本体から排紙される用紙を下方から受ける。そのフロントドアは、ドア側ボス部とドア側ガイド溝とを備えている。ドア側ボス部はエクステンション側に位置するフロントドアの上部に形成され、筐体の側方部分に向かって突出して回動軸となる。ドア側ガイド溝はフロントドアの裏面側に形成され、フロントドアの開閉動作をガイドする。また、筐体は、筐体側ガイド溝と筐体側ボス部とを備えている。筐体側ガイド溝は筐体の側方部分に形成され、ドア側ボス部を受入れてフロントドアの回動軸の位置を移動させる。筐体側ボス部は筐体の側方部分に形成され、ドア側ガイド溝に向かって突出してドア側ガイド溝に受入れられる。筐体側ガイド溝は、フロントドアを手前に引き出すための横方向に延在する部分と、手前に引き出されたフロントドアを下方に下げるための縦方向に延在する部分とを備えている。ドア側ガイド溝は、ドア側ボス部を回動軸としてフロントドアを開閉する動作とともに、フロントドアを手前に引き出す動作およびフロントドアを下方に下げる動作を行なうことに伴って変化するフロントドアと筐体側ボス部との相対的な位置関係に基づいて形成されている。
【００１０】
この構成によれば、フロントドアを開けながら、それぞれフロントドアを手前に引き出す動作とフロントドアを下方に下げる動作とを順次行なうことによって、フロントドアを開ける動作に伴ってフロントドアの上端部分がエクステンションと干渉するのを抑制することができる。その結果、フロントドアが開かなくなるようなことがなくなる。
【００１１】
本発明に係るドア装置は、所定の筐体とドア部とを備えている。ドア部は筐体に所定の回動軸により開閉自在に取付けられたドア本体を含む。ドア部と筐体とは、ドア本体を開けながらドア本体を手前に引き出す動作に引き続き、ドア本体を開けながらドア本体を引き出す方向と交差する方向にスライドさせる動作によってドア本体が開かれた状態とされるよう構成されている。
【００１２】
この構成によれば、ドア本体を開けながらドア本体を手前に引き出す動作に引き続き、ドア本体を開けながらドア本体を引き出す方向と交差する方向にスライドさせる動作によって、ドア本体を開ける動作に伴ってドア本体の回動軸部の側の端部が筐体の部分と干渉するのをなくすことができる。
【００１３】
このような動作を行なうために、具体的には、ドア部は、ドア本体に形成され筐体の部分に向かって突出する回動軸部と、ドア本体に形成されドア本体の開閉動作をガイドするドア側ガイド部とを備え、筐体は、回動軸部を受入れて回動軸部の位置を移動させるため筐体側ガイド部と、ドア側ガイド部に向かって突出してドア側ガイド部に受入れられる突起部とを備え、筐体側ガイド部は、ドア本体を手前に引き出すための第１の方向に延在する部分と、手前に引き出されたドア本体を引き出す方向と交差する方向にスライドさせるための第２の方向に延在する部分を含み、ドア側ガイド部は、ドア本体を開閉する動作とともに、ドア本体を手前に引き出す動作およびドア本体を引き出す方向と交差する方向にスライドさせる動作を行なうことに伴って変化するドア本体と突起部との相対的な位置関係に基づいて形成されていることが好ましい。
【００１４】
これにより、ドア本体を開ける動作に伴ってドア本体の回動軸部の側の端部が筐体の部分と干渉するのをなくすことができる。
【００１５】
また、第１の方向は水平方向であり、第２の方向は垂直方向であることが好ましい。
この場合には、ドア本体の回動軸部の側を上にしてドア本体の開閉動作をすることができる。
【００１６】
ドア装置として、筐体内には所定の用紙に印刷を行なうレーザプリンタ本体と画像を読み取るスキャナ本体とが配設され、ドア部はレーザプリンタ本体の前面側に、レーザプリンタ本体の上部側を回動軸として開閉自在に筐体に取付けられ、ドア部の上方の筐体部分に、筐体部分から前方に突出するように取付けられて、レーザプリンタ本体から排紙される用紙を下方から受けるエクステンションを備えていることが好ましい。
【００１７】
この場合には、ドア本体を開ける際にエクステンションと干渉するのを抑制することができる。
【００１８】
さらに、ドア側ガイド部は、突起部を係止してドア本体が開かれた状態を保持する係止部を備えていることが好ましい。
【００１９】
これにより、ドア本体を開けた状態が保持されて、たとえば物の出し入れやメンテナンス等を手でドア本体を支えておくことなく容易に行なうことができる。
【発明を実施するための最良の形態】
【００２０】
本発明の実施の形態に係るスキャナ付きレーザプリンタ装置について説明する。図１に示すように、スキャナ付きレーザプリンタ装置１では、筐体２の下部にレーザプリンタ本体３が配設され、そのレーザプリンタ本体３の上方の筐体２内の上部にスキャナ本体４が配設されている。レーザプリンタ本体３の前面側には、用紙をスタックする用紙トレイ７と給紙口８が設けられている。また、レーザプリンタ本体３の上方の筐体２部分には、レーザプリンタ本体３において印刷された用紙を排出する排紙口９と、排紙される用紙を下方から受けるエクステンション６が設けられている。エクステンション６は筐体２の前面の側に向かって突出するように取付けられている。
【００２１】
レーザプリンタ本体３には、図２に示すように、用紙に画像を印刷するためのトナーを転写する感光体２２と、トナーを供給するカートリッジ２１が配設されている。感光体２２の上方には、用紙に転写されたトナーを所定の温度のもとで定着するための定着ユニット２３が配設されている。また、カートリッジ２１の上方には、所定の画像信号に基づいてレーザ光線を感光体２２に向けて照射するレーザスキャニングユニット２４が配設されている。
【００２２】
筐体２におけるレーザプリンタ本体３の前面側には、カートリッジ２１を交換したり用紙が詰まった場合等、レーザプリンタ本体３のメンテナンスを行なうためのフロントドア５が設けられている。図３に示すように、そのフロントドア５には、筐体の側に向かって突出したドア側ボス部１４と、後方側に延在するドア側ガイド溝１３が形成されている。一方、図４に示すように、筐体２には、ドア側ボス部１４を受入れる筐体側ガイド溝１１と、フロントドア５側に向かって突出してドア側ガイド溝１３に受入れられる筐体側ボス部１２がそれぞれ形成されている。図５に示すように、筐体側ガイド溝１１は、フロントドア５を手前に引き出すための横方向（水平方向）に延在する部分１１ａと、フロントドア５を下方にスライドさせるための縦方向（垂直方向）に延在する部分１１ｂを備えている。
【００２３】
上述したスキャナ付きレーザプリンタ装置１では、ドア側ボス部１４、ドア側ガイド溝１３、筐体側ガイド溝１１および筐体側ボス部１２は、フロントドア５を手前に引き出しながらフロントドア５を徐々に開け、次に、フロントドア５を下方にスライドさせながらフロントドア５をさらに開けることによって、フロントドア５が開かれ、上述した動作と反対の動作を行なうことによってフロントドア５が閉じられることになる。この一連の動作について図を用いてさらに詳しく説明する。
【００２４】
まず、図６に示すように、フロントドア５が閉じられた状態では、フロントドア５のドア側ボス部１４は、筐体側ガイド溝１１の水平に延在する部分１１ａの手前（紙面向かって左側）とは反対の奥側端部に位置している。また、筐体側ボス部１２はドア側ガイド溝１３の下端部分に位置している。次に、図７に示すように、フロントドア５を手前に引き出しながらフロントドア５を徐々に開ける。このとき、ドア側ボス部１４は筐体側ガイド溝１１の水平に延在する部分１１ａ（図５参照）の手前側端部に位置する。このフロントドア５を手前に引き出しながら開ける動作によって、ドア側ガイド溝１３と筐体側ボス部１２との相対的な位置関係が変わり、筐体側ボス部１２は、ドア側ガイド溝１３の下端部分からこの動作に対応した分だけ相対的に移動したところに位置することになる。
【００２５】
次に、図８に示すように、フロントドア５を下方に下げながら、フロントドア５を徐々に開けることによって、ドア側ボス部１４は筐体側ガイド溝１１の垂直に延在する部分１１ｂ（図５参照）の途中に位置する。また、筐体側ボス部１２は、ドア側ガイド溝１３の位置（図７）からこの動作に対応した分だけ相対的にさらに移動したところに位置することになる。
【００２６】
さらにフロントドア５を下方に下げながら、フロントドア５を徐々に開けることによって、図９に示すように、ドア側ボス部１４は筐体側ガイド溝１１の垂直に延在する部分１１ｂの下端部に到達し、また、筐体側ボス部１２は、ドア側ガイド溝１３の位置（図８）からこの動作に対応した分だけ相対的にさらに移動したところに位置することになる。
【００２７】
そして、フロントドア５をさらに開けることによって、図１０に示すように、フロントドア５が完全に開かれた状態になる。このとき、筐体側ボス部１２はドア側ガイド溝１３の上端部分に位置することになる。一方、フロントドア５を閉じる際には、上述した動作と逆の動作を行なうことによって、図６に示すように、フロントドア５が閉じられた状態となる。
【００２８】
上述したフロントドア５を備えたスキャナ付きレーザプリンタ装置１では、フロントドア５を開けながら、それぞれフロントドア５を手前に引き出す動作とフロントドアを下方に下げる動作とを順次行なうことによって、フロントドア５の回動軸の位置が閉じられた状態における回動軸の位置から徐々に移動する。すなわち、回動軸としてのドア側ボス部１４の位置が筐体側ガイド溝１１において奥側端部から手前側端部を経て下端部へ移動することによって、フロントドア５を開ける動作に伴ってフロントドア５の上端部分がエクステンション６と干渉することがなくなる。また、フロントドア５がエクステンション６と干渉をしても、エクステンション６が支持側を支点として多少持ち上げられる程度で、エクステンション６がスキャナ本体４に接触するまで持ち上げられて、フロントドア５が開かなくなるようなことはなくなる。
【００２９】
なお、フロントドア５が開かれた状態を保持するために、図１０に示すＡの部分において、たとえば図１１に示すように、ドア側ガイド溝１３を形成する部材を筐体側ボス部１２に係止する係止部１５をドア側ガイド溝１３の縁に設けるようにしてもよい。また、上述したフロントドアと筐体の構造は、スキャナ付きレーザプリンタ装置に限られず、ドアを開ける動作に伴ってドアの回動軸側の端部がその近傍に位置する筐体の部分と干渉するような場合に、そのような干渉を防止する構造としたドア装置に広く適用することが可能である。さらに、ドアの回動軸の方向としては水平方向に限られず、たとえば垂直方向などでもよい。
【００３０】
なお、今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００３１】
【図１】本発明の実施の形態に係るスキャナ付きレーザプリンタ装置の斜視図である。
【図２】同実施の形態において、スキャナ付きレーザプリンタ装置におけるレーザプリンタ本体の構造を説明するための側面図である。
【図３】同実施の形態において、スキャナ付きレーザプリンタ装置のフロントドアの斜視図である。
【図４】同実施の形態において、スキャナ付きレーザプリンタ装置の筐体の一部を示す部分斜視図である。
【図５】同実施の形態において、図４に示す筐体の一部を示す部分拡大斜視図である。
【図６】同実施の形態において、スキャナ付きレーザプリンタ装置の動作を説明するための第１の状態を示す部分側面図である。
【図７】同実施の形態において、図６に示す第１の状態の後の第２の状態を示す部分側面図である。
【図８】同実施の形態において、図７に示す第２の状態の後の第３の状態を示す部分側面図である。
【図９】同実施の形態において、図８に示す第３の状態の後の第４の状態を示す部分側面図である。
【図１０】同実施の形態において、図９に示す第４の状態の後の第５の状態を示す部分側面図である。
【図１１】同実施の形態において、フロントドアを係止する係止部とその近傍を示す部分拡大側面図である。
【図１２】従来のレーザプリンタ装置を示す斜視図である。
【図１３】従来のスキャナ付きレーザプリンタ装置を示す斜視図である。
【図１４】従来のスキャナ付きレーザプリンタ装置のフロントドアにおける問題点を説明するための側面図である。
【符号の説明】
【００３２】
１  スキャナ付きレーザプリンタ装置、２  筐体、３  レーザプリンタ本体、４  スキャナ本体、５  フロントドア、６  エクステンション、７  用紙トレイ、８  給紙口、９  排紙口、１１  筐体側ガイド溝、１２  筐体側ボス部、１３  ドア側ガイド溝、１４  ドア側ボス部、１５  係止部、２１  カートリッジ、２２  感光体、２３  定着ユニット、２４  レーザスキャニングユニット。
【図１】
2007221230.tif 000003
【図２】
2007221230.tif 000004
【図３】
2007221230.tif 000005
【図４】
2007221230.tif 000006
【図５】
2007221230.tif 000007
【図６】
2007221230.tif 000008
【図７】
2007221230.tif 000009
【図８】
2007221230.tif 000010
【図９】
2007221230.tif 000011
【図１０】
2007221230.tif 000012
【図１１】
2007221230.tif 000013
【図１２】
2007221230.tif 000014
【図１３】
2007221230.tif 000015
【図１４】
2007221230.tif 000016